(57)【要約】      （修正有）【課題】錯視による表示品位の低下を防ぐ車両用表示装置を提供する。【解決手段】車両用表示装置は、画素を格子状に配置して構成した画面を有する表示手段と、対称な斜線あるいは曲線を有する図形１４を有する画像ＷＡＲＮを表示手段に表示させる制御手段と、を備えた車両用表示装置であって、制御手段は、画素を構成する副画素の並びに基づいて、対称な斜線１４Ｌ，１４Ｒあるいは曲線の太さを異ならせて表示手段に表示させる。このように構成することで、対称となる２つの斜線の一方が細く見える錯視により画像ＷＡＲＮの表示品位が低下することを抑制できる。【選択図】図２
2018004395.tif 000002
【特許請求の範囲】
【請求項１】
画素を格子状に配置して構成した画面を有する表示手段と、対称な斜線あるいは曲線を有する図形を有する画像を前記表示手段に表示させる制御手段と、を備えた車両用表示装置であって、
前記制御手段は、前記画素を構成する副画素の並びに基づいて、前記対称な斜線あるいは曲線の太さを異ならせて前記表示手段に表示させる、
ことを特徴とする車両用表示装置。
【請求項２】
前記画像は、車両の警告情報を表す画像である、
ことを特徴とする請求項１に記載の車両用表示装置。
【請求項３】
前記画像は、前記対称な斜線あるいは曲線と、前記対称な斜線あるいは曲線と隣接する背景と、を有し、
前記制御手段は、前記斜線あるいは曲線を構成する画素の点灯している副画素と、前記背景を構成する画素の点灯している副画素と、の距離が、前記副画素が並ぶ方向において短い方を太くして前記表示手段に表示させる、
ことを特徴とする請求項１または請求項２に記載の車両用表示装置。
【発明の詳細な説明】
【技術分野】
【０００１】
本発明は、車両情報を画像表示する車両用表示装置に関する。
【背景技術】
【０００２】
従来の車両用表示装置として、特許文献１に開示されたものがある。このような車両用表示装置の液晶表示器の画面は、格子状に画素が並んで構成されており、１画素は一列に並んだ赤，青，緑の３つの副画素で構成される。
【先行技術文献】
【特許文献】
【０００３】
【特許文献１】特開２０１４−２０２６８５号公報
【発明の概要】
【発明が解決しようとする課題】
【０００４】
特許文献１に開示されるような車両用表示装置においては、液晶表示器の画面に、ハザード警告のような線対称の斜線や曲線を持つ図形を表示すると、対称となる２つの斜線の一方が細く見える錯視が発生し、線対称で表示すべき図形の表示品位を損なってしまうという課題があった。
【０００５】
本発明は上述した課題に鑑みてなされたものであり、錯視による表示品位の低下を防ぐ車両用表示装置を提供することを目的とする。
【課題を解決するための手段】
【０００６】
本発明に係る車両用表示装置は、
画素を格子状に配置して構成した画面を有する表示手段と、対称な斜線あるいは曲線を有する図形を有する画像を前記表示手段に表示させる制御手段と、を備えた車両用表示装置であって、
前記制御手段は、前記画素を構成する副画素の並びに基づいて、前記対称な斜線あるいは曲線の太さを異ならせて前記表示手段に表示させる。
【０００７】
また、本発明に係る車両用表示装置の
前記画像は、車両の警告情報を表す画像である、
ように構成することが好ましい。
【０００８】
また、本発明に係る車両用表示装置の
前記画像は、前記対称な斜線あるいは曲線と、前記対称な斜線あるいは曲線と隣接する背景と、を有し、
前記制御手段は、前記斜線あるいは曲線を構成する画素の点灯している副画素と、前記背景を構成する画素の点灯している副画素と、の距離が、前記副画素が並ぶ方向において短い方を太くして前記表示手段に表示させる、
ように構成することが好ましい。
【発明の効果】
【０００９】
本発明によれば、錯視による表示品位の低下を防ぐ車両用表示装置を提供できる。
【図面の簡単な説明】
【００１０】
【図１】本発明に係る車両用表示装置の構成概略図。
【図２】同車両用表示装置に表示される警告画像を示す図。
【図３】同警告画像の第１拡大図。
【図４】同警告画像の第２拡大図。
【発明を実施するための形態】
【００１１】
以下、添付図面に基づいて、本発明の実施形態である車両用表示装置を説明する。
【００１２】
車両用表示装置は、図１に示すように、画像表示手段１と、制御手段２と、を有する。
【００１３】
画像表示手段１は、例えば、液晶表示器や有機ＥＬ表示器などである。画像表示手段１は、複数の画素１０が縦（Ｙ方向）横（Ｘ方向）に格子状に並んだ画面を形成しており、各画素１０に様々な色を表示させることで、画面上に所定の画像を表示する。画素１０は、赤色に点灯する副画素１００Ｒと、緑色に点灯する副画素１００Ｇと、青色に点灯する副画素１００Ｂと、が横方向に一列に並んだものから構成される。
【００１４】
制御手段２は、ＣＰＵと、ＣＰＵが動作させるプログラムをあらかじめ記憶する不揮発性メモリと、不揮発性メモリに記憶されたプログラムの展開やプログラムの動作に伴った各種演算結果を一時的に記憶する揮発性メモリと、時間を計時するタイマと、各種入出力ポートと、有するマイクロコントローラから主に構成される。このマイクロコントローラは、回路基板に実装されている。制御手段２は、図示しない車内ネットワークから、車両の走行距離やエンジン回転数、経路案内情報や、警告情報などの車両情報を取得し、これら車両情報を表す画像を画像表示手段１の画面に表示させる。
【００１５】
画像表示手段１に表示される警告情報を表す画像は、図２に示すように、例えば、非常停止灯（ハザードランプ）の動作状態を表す警告画像ＷＡＲＮである。
【００１６】
警告画像ＷＡＲＮは、図２に示すように、最も内側にある三角形の第１内背景１１と、この第１内背景を囲む第１三角形１２と、第１三角形１２を囲む第２内背景１３と、第２内背景１３を囲む第２三角形１４と、第２三角形１４の外側に面している外背景１５と、から構成される。
第１内背景１１と第２内背景１３は白色の画素で構成され、第１三角形１２と第２三角形１４は赤色の画素で構成され、外背景１５は黒色の画素で構成される。
白色の画素は、副画素１００Ｒ，１００Ｇ，１００Ｂの全てが点灯して構成される。赤色の画素は、副画素１００Ｒが点灯し副画素１００Ｇ，１００Ｂが消灯して構成される。黒色の画素は、副画素１００Ｒ，１００Ｇ，１００Ｂの全てが消灯して構成される。
【００１７】
図２に示した警告画像ＷＡＲＮは、線対称となる第１三角形１２と第２三角形１４の左右の斜線は、互いに太さが同じであっても、一方が細く見えてしまう錯視が生じる。この錯視が生じる理由を第２三角形１４に着目して以下に説明する。
【００１８】
図２に示した第２三角形１４を構成する各辺について、左の斜線を左辺１４Ｌとし、右の斜線を右辺１４Ｒとし、下の直線を底辺１４Ｂとする。
【００１９】
図３に、左辺１４Ｌと左辺１４Ｌに隣接する第２内背景１３と外背景１５との境界を拡大した図を示す。また、図４に、右辺１４Ｒと右辺１４Ｒに隣接する第２内背景１３と外背景１５との境界を拡大した図を示す。ここでは、左辺１４Ｌおよび右辺１４Ｒの線の太さは、横方向に対し２画素分あるものとする。
【００２０】
図３に示すように、左辺１４Ｌを構成する画素のうち、最も第２内背景１３に近い画素の点灯している副画素１００Ｒは、横方向の並びについて、第２内背景１３の最も近くにあり点灯している副画素１００Ｒと、点灯していない副画素１００Ｇ，１００Ｂの２つの副画素の距離が離れている。
【００２１】
一方で、図４に示すように、右辺１４Ｒを構成する画素のうち、最も第２内背景１３に近い画素の点灯している副画素１００Ｒは、横方向の並びについて、第２内背景１３の最も近くにあり点灯している副画素１００Ｒと、隣接している。この右辺１４Ｒを構成する画素のうち、最も第２内背景１３に近い画素は、第２内背景１３の白色に同化する錯視が生じ、左辺１４Ｌに対し１画素分短く見える。
【００２２】
そこで、制御手段２は、警告画像ＷＡＲＮに対し、錯視によって短く見える右辺１４Ｒを左辺１４Ｌよりも太くする膨張処理を施した後、画像表示手段１に表示させる。この膨張処理は、右辺１４Ｒを構成する赤色の画素を副画素１００Ｒ，１００Ｇ，１００Ｂが並ぶ横（Ｘ方向）に増やす処理であり、この膨張処理により右辺１４Ｒの横幅が増加し太くなる。
なお、膨張処理は、対称となる右辺１４Ｒ，左辺１４Ｌを構成する画素１０の点灯している副画素１００Ｒと、第２内背景１３を構成する画素１０の点灯している副画素１００Ｒと、の距離が、副画素１００Ｒ，１００Ｇ，１００Ｂが並ぶ方向（横方向）において短い右辺１４Ｒに対して実行するものである。
対称となる線は、斜線に限らず曲線であってもよく、また線対称に限らず点対称の関係にある線に適用してもよい。
【００２３】
警告画像ＷＡＲＮは、錯視が生じる対称となる斜線あるいは曲線の一方について膨張処理を予め施したものを制御手段２の不揮発メモリに記憶しておくように構成してよい。
【００２４】
また、錯視は隣接する背景の色によって強度が異なるので、警告画像ＷＡＲＮの第１三角形１２と第２三角形１４の背景となる第１内背景１１と第２内背景１３および外背景１５の色に合わせて可変とすることが好ましい。
【００２５】
また、膨張処理を施した斜線あるいは曲線と、第１内背景１１，第２内背景１３および外背景１５との境界箇所は、アンチエイリアス処理を施すことが好ましい。
【００２６】
以上のように、本発明に係る車両用表示装置は、画素１０を格子状に配置して構成した画面を有する表示手段１と、対称な斜線あるいは曲線を有する図形１４を有する画像ＷＡＲＮを表示手段１に表示させる制御手段２と、を備えた車両用表示装置であって、制御手段２は、画素１０を構成する副画素１００Ｒ，１００Ｇ，１００Ｂの並びに基づいて、対称な斜線１４Ｌ，１４Ｒあるいは曲線の太さを異ならせて表示手段１に表示させる。
このように構成することで、錯視による表示品位の低下を防ぐ車両用表示装置を提供できる。
【符号の説明】
【００２７】
１                            ：表示手段
１０                          ：画素
１００Ｒ，１００Ｇ，１００Ｂ  ：副画素
２                            ：制御手段
ＷＡＲＮ                      ：警告画像
１３                          ：第２内背景
１４Ｌ                        ：左辺（対称な斜線）
１４Ｒ                        ：右辺（対称な斜線）
【図１】
2018004395.tif 000003
【図２】
2018004395.tif 000004
【図３】
2018004395.tif 000005
【図４】
2018004395.tif 000006